(57)【要約】      （修正有）【課題】携帯電話を利用して有料コンテンツの代金を決済する。【解決手段】１媒体から登録用受付アドレスを取得、２携帯電話でアクセスし、３利用条件を確認する。（３−１ホームページで利用条件を確認、３−２電話アクセスサーバーが利用者へ購入確認のショットメッセージを送信）４利用者は有料コンテンツ購入を承諾、５ユーザサーバに利用者情報（利用者ＩＤなど利用者身分確定できる情報）を通知し、６ユーザサーバより鍵を含むコンテンツを携帯電話にダウンロードする。７ダウンロード成功した場合、有料コンテンツの課金は発生し、８利用者はダウンロードしたコンテンツをパソコンに移し、９コンテンツの中の鍵を用いて有料コンテンツを利用する。１０利用代金は携帯電話通話料金と一緒に携帯電話会社から徴収するか、又はあらかじめ購入者が取引を行っている金融機関がコンテンツ業者に対して対価の支払い処理を行う。【選択図】図１
2005004710.tif 000002
【特許請求の範囲】
【請求項１】
携帯電話を使用して有料コンテンツの購入申し込みシステムであって
１媒体（新聞、広告、チラシ、ホームページ、テレビ、口込みなど）から有料コンテンツ利用登録用ホームページのアドレス又は有料コンテンツ利用登録電話番号を取得するステップと。
２利用者は携帯電話を使用して、登録受付アドレス（登録用ホームページ或いは登録用電話番号）へアクセスするステップと。
２−１登録用ホームページを利用する場合、取得したアドレスを用いてモバイルサーバへアクセスし、登録用ホームページを開く
２−２登録用電話を利用する場合、携帯電話から取得した電話番号へ電話する
３利用者は利用条件を確認ステップと。
３−１登録用ホームページで利用条件を確認する
３−２登録用電話番号へアクセスする場合は、電話アクセスサーバーが電話着信によって、利用者へ購入のショットメッセージを送信する。利用者は購入確認のショットメッセージを受け取り、確認する
４有料コンテンツ購入を承諾するステップと。
４−１登録ホームページで利用条件を確認した上、有料コンテンツの利用を承諾する場合は、「Ｙｅｓ」をクリックし、モバイルサーバに承諾情報を送信する。
４−２購入確認ショットメッセージを確認した上、利用者は購入承諾のシットメッセージを指定電話番号へ返信する。
５利用者情報をユーザデータベースへ送信するステップと。
５−１登録ホームページを利用する場合、携帯向けモバイルサーバより、利用者情報（ＩＤなど利用者身分特定できる情報）をユーザデータベースへ送信する。
５−２登録電話を利用する場合、電話アクセスサーバより、利用者情報（ＩＤなど利用者身分特定できる情報）をユーザデータベースへ送信する。
６ユーザデータベースより鍵を含むコンテンツを利用者携帯電話へダウンロードするステップと。
７ダウンロード成功した場合、携帯電話会社は利用代金の課金をするステップと。
８利用者はダウンロードしてきたコンテンツを（ケーブルや移動式媒体や無線伝送などの方式を用いて）パソコンに移すステップと。
９利用者はダウンロードしてきたコンテンツの中の鍵を用いて有料コンテンツを利用することステップと。
【請求項２】
携帯電話を使用して有料コンテンツの購入による課金システムであって
１利用者は有料コンテンツの利用を承諾した後、ユーザサーバから鍵を含むコンテンツを携帯電話にダウンロードするステップと。
２鍵を含むコンテンツを（ケーブルや移動式媒体や無線伝送などの方式を用いて）利用者パソコンに移すステップと、
３ダウンロードしたコンテンツの中に含まれる鍵を使用して、有料コンテンツを利用するシステム。
【請求項３】
携帯電話を使用して有料コンテンツの購入による課金システムであって
１有料コンテンツ利用登録用ホームページを使用する場合は、利用者は有料コンテンツの利用を承諾した後、モバイルサーバから利用者情報（利用者  ＩＤなど利用者身分を特定できる情報）をユーザサーバへ送信するステップと。
２有料コンテンツ利用登録用電話番号を使用する場合は、利用者は有料コンテンツの利用を承諾した後、電話アクセスサーバから利用者情報（利用者  ＩＤなど利用者身分を特定できる情報）をユーザサーバへ送信するステップと。
３ユーザサーバは送られてきた利用者情報をデータベースに保存し、鍵を一定な手法にて生成及びデータベースへ保存するステップと。
４ユーザサーバは利用者情報を受取った後、鍵を含むコンテンツを利用者携帯電話にダウンロードすることにより、利用者情報を課金の元情報になる有料コンテンツを利用するシステム。
【請求項４】
携帯電話を使用して有料コンテンツの購入による課金システムであって
１課金は鍵を含むコンテンツの成功ダウンロードした際に発生する。有料コンテンツの利用代金は携帯通話（返信）料金と一緒に、携帯電話会社又は決済機関（関わる電話会社、クレジット会社、運営会社など）から徴収する。又はあらかじめ購入者（利用者）が取引を行っている記入期間の携帯電話記入サービスからコンテンツ業者に対して対価の支払い処理を行う。代金支払い方法としては、クレジットカード、現金、銀行、郵便局など支払うことも可能なシステム。
【発明の詳細な説明】
【０００１】
【発明の属する技術分野】
本発明は、有料コンテンツを利用するための迅速で安全な利用者身分の確認に関する。詳しくは、利用者携帯電話から有料コンテンツ利用登録ホームページ又は有料コンテンツ利用登録電話へアクセスして、有料コンテンツを利用する場合の確認、利用承諾、課金方法、利用代金支払い処理及びコンテンツ利用形態（利用代金支払いすることは素早く、安全、便利である特徴）を、携帯電話を利用することにより安全かつ確実行うことができるシステムに関する
【０００２】
【従来の技術】
今まで、有料コンテンツの利用における利用者の身分確認及び課金方法は主にクレジットカード会社或いは確認書類の郵送により実現したものである。
（１）クレジットカード会社を通して確認する方法は、インターネットを通して利用者のクレジットカード番号を送信し、クレジットカード会社に問合せを行う。クレジット会社は利用者の身分を確認した後、当利用者の有料コンテンツの利用を許可する。この確認の過程は数時間から数日が費やされる。課金はクレジットカード会社により徴収する。
（２）クレジットカードを持っていない利用者はクレジットカードの申請を降りない限り、有料コンテンツを使用できない。
（３）確認書類を郵送する方法は、利用者はインターネットを通して利用者の氏名と住所を含む個人情報を送信する。有料コンテンツの運営会社は送信されてきた利用者の個人情報によって利用者に確認の書類を郵送する。利用者は確認書類を記入した上で返送する。運営会社は書類を受取った後、照合した上問題がなければ、当利用者の有料コンテンツの利用を許可する。この確認の過程は数日から数週間が費やされる。課金については、利用料金の請求書が到着後、現金、銀行及び郵便局で支払うことになる。
【０００３】
【発明が解決しようとする課題】このような従来方法では、以下のような問題がある。
（１）インターネット上でのクレジットカード番号を求められ、クレジットカード会社は利用者であることを照合してから利用可能になる。この場合はインターネット上でのクレジットカード番号を転送することは安全ではない問題がある
（２）クレジットカードを所有していない利用者は有料コンテンツを利用することができない問題がある。
（３）インターネット上で申し込みし、運営会社から確認書類を郵送する。その場合：書類の書き間違いや紛失などの危険性がある。また、新規ユーザの申し込みしてから手続き完了するまで（サービスを受けるまで）有料コンテンツが利用できない、身分確認時間がかなり費やされる問題がある
（４）利用者身分の従来の確認方法では、書類に印鑑或いはサインを得ることで利用者本人を行っているが、本人確認の精度が高くない問題ある。
（５）従来の技術ではコンテンツをコピーしてどこでも利用可能になり、コンテンツ提供者の権益を守られない問題がある。
【０００４】そこで、本発明では携帯電話を利用して、有料コンテンツ利用及び課金を行うことにより、かかる個人情報の盗聴、盗用や本人のなりましを防止し、有料コンテンツ提供者の権益を守り、利用者は安全且つ迅速に有料コンテンツを利用できるシステムを構築すべく研究して完成したものである。
【０００５】
【課題を解決するための手段】
上記課題を解決するための本発明の要旨の第一は、携帯電話を利用して簡便な有料コンテンツ利用システムであって、１媒体（新聞、広告、ホームページ、チラシ、テレビ、口込みなど各種宣伝手段）から有料コンテンツ利用登録用ホームページのアドレス又は有料コンテンツ利用登録用電話番号を取得するステップと。  ２利用者は携帯電話を使用し、登録用受付けアドレス（登録用ホームページ或いは登録用電話番号）を取得するステップと。（２−１有料コンテンツ利用登録用ホームページを利用する場合、利用者が登録用ホームページのアドレスへアクセスし、携帯電話から登録ホームページを開く  ２−２有料コンテンツ利用登録用電話を利用する場合、利用者の電話アクセスにより、電話アクセスサーバから購入確認のショートメッセージが利用者に送信する）  ３利用者は利用条件を確認ステップと（３−１、有料コンテンツ利用登録用ホームページを利用する場合、利用者は確認用ホームページを確認する。３−２有料コンテンツ利用登録用電話を利用する場合、利用者は購入確認ショットメッセージを確認する）  ４利用者は有料コンテンツ購入を承諾するステップと。（４−１、有料コンテンツ利用登録用ホームページを利用する場合、利用者は利用条件を確認した上、利用者は有料コンテンツの利用を承諾する場合は、登録ホームページを利用して、モバイルサーバに承諾情報を送信する。承諾しない場合は、登録ホームページ上の利用しない情報をモバイルサーバに送信する  ４−２有料コンテンツ利用登録用電話を利用する場合、利用者は購入確認ショットメッセージを確認し、購入承諾の場合は、電話アクセスサーバに購入承諾を返信する）  ５有料コンテンツ利用承諾を受取った後、利用者情報（ＩＤなど利用者身分特定できる情報）をユーザデータベースへ送信するステップと。６鍵を含むコンテンツが利用者携帯電話に自動的にダウンロードするステップと、７ダウンロード成功した場合、携帯電話会社は使用代金の課金を行うステップと。（７−１有料コンテンツ利用登録用ホームページを利用する場合、携帯電話会社は課金開始する  ７−２有料コンテンツ利用登録用電話を利用する場合、携帯電話会社は課金開始する）８利用者はダウンロードしてきたコンテンツを（ケーブルや移動式媒体や無線伝送などを用いて）パソコンに移すステップと、９利用者はコンテンツの中の鍵を用いて有料コンテンツを利用するステップと、を含むことを特徴とする携帯電話を利用して簡便な有料コンテンツ利用システム、にある。個人情報を公開しないシステムであるため、個人情報の盗聴、盗用を防止して安全に取引できる。
【０００６】上記課題を解決するための本発明の要旨の第二は、携帯電話を利用して簡便な有料コンテンツ利用システムであって、１利用者が携帯電話にダウンロードしてきた鍵を含むコンテンツを（ケーブル、移動式媒体、無線伝送などの方式を用いて）利用者パソコンに移すステップと、２ダウンロードしてきたコンテンツの中に含まれる鍵を使用して、有料コンテンツにアクセスするステップと、を含むことを特徴とする携帯電話を利用して簡便な有料コンテンツ利用システム、にある。利用者審査手続きを簡潔したため、有料情報を即時使用可能になる。
【０００７】上記課題を解決するための本発明の要旨の第三は、携帯電話を利用して簡便な有料コンテンツ利用システムであって、１課金は鍵を含むコンテンツダウンロードされた後に発生するステップと、２通話料金と一緒に、有料コンテンツの利用代金を決済機関（携帯電話会社、クレジット会社、運営会社など）を通して徴収する又はあらかじめ利用者が取引を行っている金融機関の携帯電話金融サービスがコンテンツ業者に対して対価の支払い処理を行うステップと、を含むことを特徴とする携帯電話を利用して簡便な有料コンテンツ利用システム、にある。電話料金と共に請求することにより、身分確認を再度行わない限りに、利用者は確実使用料金を払うことができる。
【０００８】上記課題を解決するための本発明の要旨の第四は、携帯電話を利用して簡便な有料コンテンツ利用システムであって、１ユーザサーバは携帯向けモバイルサーバ又は電話アクセスサーバより送られてきた利用者情報を用いて、鍵及び鍵を含むコンテンツを生成するステップと。２鍵を含むコンテンツをユーザサーバから利用者携帯電話へ送るステップ、を含むことを特徴とする携帯電話を利用して簡便な有料コンテンツ利用システム、にある。分散処理を特徴とする大量コンテンツ配信時良くサーバ動作不能な現象を解決できる。
【０００９】上記課題を解決するための本発明の要旨の第四は、携帯電話を利用して簡便な有料コンテンツ利用システムであって、１ユーザサーバよりダウンロードしてきたコンテンツの中に含まれる鍵を使用して、有料コンテンツにアクセスするステップ、を含むことを特徴とする携帯電話を利用して簡便な有料コンテンツ利用システム、にある。不法コピーによるコンテンツ提供者の損害を避けることを解決できる。
【００１０】
【発明の実施の形態】
有料コンテンツを運営する個人や法人は携帯電話会社に契約して、この発明を利用できるようにモバイルサーバ又は電話アクセスサーバを設置し、利用者は有料コンテンツの利用料金を電話料金に組み込む合意を達する必要がある。又、利用者情報を確認、保存する及び鍵を生成し、鍵を含むコンテンツを利用者携帯へダウンロードするためにユーザサーバを設置する必要もある。
【００１１】
【発明の効果】
１利用者の身分が携帯電話会社に通してすぐ確認できるというメリットで利用者は直ちに有料コンテンツが利用できる。
２利用者の身分を公的機関で確認できるため、インターネット上でクレジットカード番号や住所などの個人情報を入力する必要がなくなり、利用者のプライバシを守られる。
３確認書類を郵送する場合の書類の書き間違いや紛失などの危険性はなくなる。４利用者の本人である確認の精度が高くなる。
５有料コンテンツの不法コピーによるコンテンツ提供者の損失を避ける。
６大量コンテンツ配信する時に、配信不能やサーバ機能停止などを解決できる。
【図面の簡単な説明】
【図１】本発明のシステムの流れを示した平面図である。
【図１】
2005004710.tif 000003